(57)【要約】【課題】  本発明は、明るいときには壁などと調和して目立たない避難誘導標示を提供することを課題とする。【解決手段】  避難誘導標示１０は、床、壁又は天井に表示し、暗闇で発光する型式であり、コンクリート目地１３を埋めるコンクリート目地材料１６で構成し、このコンクリート目地材料１６は、母材に蓄光材料を混合した蓄光材料入り目地材料１５で構成した。蓄光目地材料１５に適用する蓄光材料は、薄黄緑色である。本発明の蓄光材料入り目地材料１５は、例えば、灰色のセメントモルタルを母材として、１５質量％〜３５質量％だけ薄黄緑色の蓄光材料で構成する。【選択図】      図１
2006132241.tif 000002
【特許請求の範囲】
【請求項１】
床、壁又は天井に表示し、暗闇で発光する型式の避難誘導標示において、
この避難誘導標示は、タイル目地又はコンクリート目地を埋める目地材料で構成し、前記目地材料は、母材に蓄光材料を混合した蓄光材料入り目地材料で構成したことを特徴とする避難誘導標示。
【請求項２】
前記蓄光材料入り目地材料は、１５質量％〜３５質量％が蓄光材料で残部が母材であることを特徴とする請求項１記載の避難誘導標示。
【発明の詳細な説明】
【技術分野】
【０００１】
本発明は、床、壁又は天井に設け、暗闇で発光する型式の避難誘導標示に関する。
【背景技術】
【０００２】
従来、床、壁又は天井に設け、暗闇の中で避難誘導矢印など各種の表示が長時間行え、停電時の避難誘導などに役立つ避難誘導標示が提案されている（例えば、特許文献１参照。）。
【特許文献１】特開平８−３０２６２９号公報（図１）
【０００３】
特許文献１を次図に基づいて説明する。
図５は従来の技術の基本構成を説明する図であり、蓄光性蛍光体埋設タイル１００は、コンクリートタイル１０１と、このコンクリートタイル１０１の表面に埋め込んだ矢印形状をもつ合成樹脂製シート１０２と、この合成樹脂製シート１０２の裏に付設した蓄光性の埋設固定体とならなり、この蓄光性の埋設固定体が光エネルギーを吸収して蓄え、停電時に光エネルギーを放出して合成樹脂製シート１０２を光らせるという作用をなす。
【０００４】
図６は図５の蓄光性蛍光体埋設タイルの使用例を示す図であり、蓄光性蛍光体埋設タイル１００は、避難口１０４近傍の壁１０５に貼り付ける又は埋め込む形態で使用する。
【０００５】
合成樹脂製シート１０２は光を通す透明体である。一方、蓄光材料は一般に薄い黄緑色を呈する物質である。すると、明るいときには合成樹脂製シート１０２は蓄光材料特有の色に近似する。
また、壁１０５は使用者の好みや用途に応じて多様の色とされる。であれば、壁の色が蓄光材料特有の色に合致することは殆どない。
壁１０５の色と合成樹脂製シート１０２の色とが異なると、明るいときすなわち避難誘導表示が必要でないときに、合成樹脂製シート１０２が目立ち、壁１０５や部屋の美観を損なう虞がある。
【０００６】
したがって、明るいときには壁などと調和して目立たない避難誘導表示が望まれる。
【発明の開示】
【発明が解決しようとする課題】
【０００７】
そこで、本発明は、明るいときには壁などと調和して目立たない避難誘導標示を提供することを課題とする。
【課題を解決するための手段】
【０００８】
請求項１に係る発明では、床、壁又は天井に表示し、暗闇で発光する型式の避難誘導標示において、この避難誘導標示は、タイル目地又はコンクリート目地を埋める目地材料で構成し、前記目地材料は、母材に蓄光材料を混合した蓄光材料入り目地材料で構成したことを特徴とする。
【０００９】
請求項２に係る発明では、蓄光材料入り目地材料は、１５質量％〜３５質量％が蓄光材料で残部が母材であることを特徴とする。
【発明の効果】
【００１０】
請求項１に係る発明では、暗闇で発光する避難誘導標示は、タイル目地又はコンクリート目地を埋める目地材料で構成し、この目地材料は、例えば、モルタル材であり、モルタル材に蓄光材料を混合した目地材料にした。
例えば３００ｍｍ×３００ｍｍのコンクリートパネルの目地代は３〜５ｍｍであって、コンクリートパネルの色と目地材の色が少々異なっても、目地が目立つことはない。このように面積比率が圧倒的に小さくて目立たない目地に蓄光材料を混入しても、蓄光材料特有の色が周囲の美観を損ねる心配はない。
【００１１】
一方、目地代が３〜５ｍｍと細いため暗転時に表示機能を発揮し得るかが問題となる。
本発明者等が検証したところ、暗転時に発光した帯は、目地の約１０倍、すなわち３０〜５０ｍｍの幅広帯になることが分かった。この理論的裏付けは不明であるが、発光体から光が拡散し、この拡散光が集合したためと考えられる。
したがって、表示機能は十分に発揮される。
【００１２】
このように、蓄光材料入り目地材料で構成することにより、平常時には、周囲の美観を損なうことなく、暗転時には、誘導矢印を浮き出させて表示することができるため、周囲の美観を損なうことのない避難誘導標示を得ることができるという利点がある。
【００１３】
請求項２に係る発明では、蓄光材料入り目地材料は、１５質量％〜３５質量％が蓄光材料で残部を母材で構成した。
蓄光材料を１５質量％未満とすると、所定のりん光輝度を安定して確保できない虞がある。
従って、蓄光材料入り目地材料は、１５質量％以上を蓄光材料で、残部を母材で構成した。
【００１４】
蓄光材料を３５質量％超にすると、コストアップにつながるという問題がある。
従って、蓄光材料入り目地材料は、３５質量％以下を蓄光材料で、残部を母材で構成した。
この結果、コストアップを抑さえながら好ましいりん光性能を得ることができるという利点がある。
【発明を実施するための最良の形態】
【００１５】
本発明を実施するための最良の形態を添付図に基づいて以下に説明する。
図１は本発明に係る避難誘導標示の床への適用例を示す図である。
（ａ）において、照明が点灯しているとき（以下、通常時という。）の地下鉄構内の通路を示す。
【００１６】
通常時においては、コンクリートブロック１１が目立ち、目地材料１５、１６は目立たない。したがって、通行人はそこに避難誘導表示が存在することを知らずに通り過ぎると思われる。なお、コンクリートブロック１１は、サイズの例は後述するが、立方体を意味するものではなく、点字ブロックと同様に方形板を指す慣用語である。
【００１７】
（ｂ）において、照明が消えている暗転時の地下鉄構内の通路を示すものであり、誘導矢印が形成されるように、目地材料１６の一部を蓄光材料入り目地材料１５に置き換えた部分が、誘導矢印形に発光する状態である。
【００１８】
多数のコンクリートブロック１１・・・（・・・は複数を示す。以下同じ。）を敷き詰めて床１２を構成し、この床１２を構成するコンクリートブロック１１・・・の目地（継目）１３を埋めるコンクリート目地材料１６の一部を蓄光材料入り目地材料１５に置き換えることにより本発明の避難誘導標示１０を形成するものである。
【００１９】
コンクリート目地材料１６はモルタル製であり、色は灰色である。一方、本発明に適用する蓄光材料の色は薄黄緑であり、モルタルと蓄光材料を混合した蓄光材料入り目地材料１５の色が大きく変わることはなく、目地材料１６の一部を蓄光材料入り目地材料１５に置き換えても、通常、目地材料の色は若干変わるだけであり、外観上の差異は少ない。
【００２０】
蓄光材料入り目地材料１５は、通常時、照明から光を吸収し、蓄光し、暗闇で、発光する性質をもつ材料である。詳細は図３で説明する。
なお、本実施例では、コンクリートブロック間を埋めるコンクリート目地材料としたが、タイル間を埋める目地材料に適用することは差し支えない。
【００２１】
図２は避難誘導標示を既設建物に適用する説明図であり、既設建物のコンクリートブロックの目地１３の表面付近の一部を除去し、除去した部分に本発明の蓄光材料入り目地材料１５を埋設することにより、既設建物に本発明の避難誘導標示１０を埋設することができることを示す。
【００２２】
（ａ）において、既設建物のコンクリートブロック１１、１１間の目地１３を既設目地材料１６で埋めた状態である。
（ｂ）において、既設建物のコンクリートブロック１１、１１間の目地１３を埋める既設目地材料１６の上方を厚さＴだけ除去した状態である。なお、目地の幅ｗは３ｍｍ〜５ｍｍである。
（ｃ）において、既設目地１３の既設目地材料１６の上の除去した部分１８に本発明の蓄光材料入り目地材料１５を埋設するものである。
【００２３】
避難方向を示す矢印をあらかじめ好ましい形状にデザインし、このデザインに従い、既設目地１３の一部を除去し、除去した部分１８に蓄光材料入り目地材料１５を盛ることにより、避難方向を示す矢印を暗闇で発光させることができる。
【００２４】
すなわち、本発明の避難誘導標示１０は、床、壁又は天井に表示し、暗闇で発光する型式の避難誘導標示１０であって、この避難誘導標示１０は、コンクリートブロック１１の継目であるコンクリート目地１３を埋めるコンクリート目地材料１６で構成し、このコンクリート目地材料１６は、母材に蓄光材料を混合した蓄光材料入り目地材料１５で構成した。
なお、既設建物のみならず、新設建物に本発明の避難誘導標示が適用可能なことはいうまでもない。
【００２５】
図３は避難誘導標示の既設建物への適用例を示す図であり、床のタイル２１・・・の間に形成されるタイル目地２３を埋める目地材料２６のうち、あらかじめデザインした形状に沿って埋設した蓄光材料を混合した目地材料（以下、蓄光目地材料とも云う。）２５が、暗闇で発光する状態である。
【００２６】
蓄光目地材料２５に適用する蓄光材料は、薄黄緑色である。本発明の蓄光材料入り目地材料２５は、例えば、灰色のセメントモルタルを母材として、１５質量％〜３５質量％だけ薄黄緑色の蓄光材料で構成するため、蓄光目地材料２５の色は、混合前の目地材料２６の色と大きく変わることはない。蓄光目地材料２５の色が大きく変わることがないため、平常時において、蓄光目地材料を埋設した部分だけが目立つということはない。
【００２７】
本発明に適用する蓄光材料は、珪素アルミナ系であり、太陽光、蛍光灯、その他、非紫外線光でも発光するという特徴を有する。加えて、蛍光時間が従来の硫化亜鉛タイプの蓄光材料に比べてはるかに長く、暗闇の中でも所定時間発光続けることができる。
さらに、珪素アルミナ系蓄光材料は、従来品に比べて耐水性、耐熱性が極めて高いなどの特徴を有する材料である。
なお、蓄光材料としては、蛍光時間などに制約はあるが、ＺｎＳ、ＣａＳなどの硫化物蛍光体を適用することは差し支えない。
【００２８】
（実験例）
本発明に係る実験例を以下に述べる。なお、本発明は実験例に限定されるものではない。
１．共通条件：
相関色温度：６５００Ｋ（青色系に相当する。）
光源の名称：岩崎電気社製電球ＭＴ７０ＦＤ
【００２９】
２．測定条件：
測定器：ミノルタ社製ＬＳ１００
照度：３３０ルクス
照射時間：２０分
試験片までの距離：３００ｍｍ
【００３０】
３．実験例１〜実験例３
（３−１）目地材料の蓄光材料含有比率：１５質量％、３０質量％、３５質量％
（３−２）測定器：２項記載の測定器
（３−３）得られたりん光輝度：表１
【００３１】
【表１】
2006132241.tif 000003
【００３２】
表１は実験例１〜実験例３について、蓄光材料含有比率を変化させた複数の目地材料を準備し、これらの目地材料に所定の条件で光を照射後、暗転させ、目地材料から発光するりん光輝度の時間的推移を一覧表にしたものである。
【００３３】
暗転後、時間の経過に伴い、各配合率をもつ蓄光材料目地材料のりん光輝度（ｍｃｄ／ｍ２は減少する。
例えば、６０分（３６００秒）経過後の蓄光材料の配合率１５％の目地材料のりん光輝度は、３４ミリカンデラ／ｍ２（ｍｃｄ／ｍ２）である。
【００３４】
ＪＩＳ  Ｚ  ９１０７の安全標識板の蓄光性（光を照射された物質が、照射を止めた後において発光する性状をいう。）によれば、６０分経過後のりん光輝度は、７ｍｃｄ／ｍ２となっている。
しかしながら、ＪＩＳ  Ｚ  ９１０７の規格数値は、健常者を対象とした視認可能な数値であり、視覚障害者にとっては少なくともその３倍以上のりん光輝度が望まれる。
従って本発明において、所定のりん光輝度を６０分経過後、２１ｍｃｄ／ｍ２以上とした。
【００３５】
６０分経過後とした理由について以下に述べる。
屋内で災害に遭遇した場合、初動の２０分間が生死の境といわれている。また、完全な暗闇で４階から１階まで手探りで移動するには、最低２０分掛かるといわれている。このようなときでも、床や壁に多少の光があれば避難誘導の助けになることから、６０分経過時のりん光輝度を所定の基準とした。
【００３６】
実験例１において、蓄光材料入り目地材料の蓄光材料の比率は１５質量％であり、６０分経過後のりん光輝度は３４ｍｃｄ／ｍ２である。
従って、蓄光材料の比率は１５質量％の蓄光材料入り目地材料は、所定のりん光輝度を満足する。
【００３７】
実験例２において、蓄光材料入り目地材料の蓄光材料の比率は３０質量％であり、６０分経過後のりん光輝度は４５ｍｃｄ／ｍ２である。
従って、蓄光材料の比率は３０質量％の蓄光材料入り目地材料は、所定のりん光輝度を満足する。
【００３８】
実験例３において、蓄光材料入り目地材料の蓄光材料の比率は３５質量％であり、６０分経過後のりん光輝度は６６ｍｃｄ／ｍ２である。
従って、蓄光材料の比率は３５質量％の蓄光材料入り目地材料は、所定のりん光輝度を満足する。
なお、蛍光材料は高価であると共に、目地の強度が低下するため、蓄光材料の比率の上限を３５％に止めた。
【００３９】
すなわち、蓄光材料入り目地材料１５は、１５質量％〜３５質量％が蓄光材料で残部を母材で構成する。
蓄光材料を１５質量％未満とすると、所定のりん光輝度を安定して確保するためには問題がある。
従って、蓄光材料入り目地材料１５は、１５質量％以上を蓄光材料で、残部を母材で構成する。
【００４０】
蓄光材料を３５質量％超にすると、コストアップ並びに強度低下につながるという問題がある。
従って、蓄光材料入り目地材料１５は、３５質量％以下を蓄光材料で、残部を母材で構成する。
この結果、コストアップ並びに強度低下を抑制しながら好ましいりん光性能を確保し、有効な視認効果を得ることができる。
【００４１】
図１に戻って作用説明に入る。
暗闇で発光する避難誘導標示１０は、コンクリート目地を埋める目地材料１６で構成し、このコンクリート目地材料１６は、例えば、モルタル材であり、モルタル材に蓄光材料を混合した蓄光材料入り目地材料１５にした。
【００４２】
例えば３００ｍｍ×３００ｍｍのコンクリートパネルの目地代は３〜５ｍｍであって、コンクリートパネルの色と目地材の色が少々異なっても、目地が目立つことはない。このように面積比率が圧倒的に小さくて目立たない目地に蓄光材料を混入しても、蓄光材料特有の色が周囲の美観を損ねる心配はない。
【００４３】
一方、目地代が３〜５ｍｍと細いため暗転時に表示機能を発揮し得るかが問題となる。
本発明者等が検証したところ、暗転時に発光した帯は、目地の約１０倍、すなわち３０〜５０ｍｍの幅広帯になることが分かった。この理論的裏付けは不明であるが、発光体から光が拡散し、この拡散光が集合したためと考えられる。
【００４４】
蓄光材料が発光するとき、この光は、等方性をもって拡散する。等方性をもった光の拡散は、例えば、白熱電球のフィラメントに電流を流し、フィラメントを熱して、発光させたとき、発光はフィラメントから等方性をもって発散されるため、この発光帯はフィラメントの太さよりも格段に広く見える現象と同類の現象である。
したがって、蓄光材料入り目地材料の表示機能は十分に発揮される。
【００４５】
このように、蓄光材料入り目地材料１５で構成することにより、平常時には、周囲の美観を損なうことなく、暗転時には、誘導矢印を浮き出させて表示することができるため、周囲の美観を損なうことのない避難誘導標示１０を得ることができるという利点がある。
加えて、蓄光材料入り目地材料１５の色は、混合前の目地材料１６の色と大きく変わることはない。目地材料１６の色が大きく変わることはないため、平常時において、周囲の美観を損なうことはない。
【００４６】
さらに、暗転時において、平常時にコンクリート目地材料１６に蓄えた光を発光させることができる。コンクリート目地材料１６の一部を、例えば、誘導矢印を描くように形成すれば、暗転時に浮き出させて誘導矢印を表示することができる。
【００４７】
目地材料１６の一部を蓄光材料入り目地材料１５で構成することにより、平常時には、周囲の美観を損なうことなく、暗転時には、所定のりん光輝度を満足しつつ、埋設した蓄光材料目地材料１６のデザインに沿って、誘導矢印を浮き出させて表示することができるため、周囲の美観、景観を損なうことのない避難誘導標示１０を得ることができる。
【００４８】
避難誘導標示を、例えば、地下鉄構内の床、壁又は天井に適用することで、非常用の電源系統の故障や、光源の故障の際の暗転時に、避難誘導標示自らを発光させることができる。
【００４９】
なお、コンクリートブロック１１のサイズは、３００ｍｍ×３００ｍｍ×板厚２０ｍｍ〜６０ｍｍである。タイルのサイズは任意に設定可能である。
誘導矢印のデザインパターンについては、実施例に限られず、例えば、絵文字及び絵文字と誘導矢印との組合せでも差し支えないものとする。
【００５０】
図４は図１の別実施例図である。
（ａ）において、照明が点いている通常時の地下鉄構内のプラットホームを示す。
通常時においては、外観上の差異は見い出し難いため、（ｂ）により説明する。
【００５１】
（ｂ）において、照明が消えた暗転時の地下鉄構内のプラットホームを示すものであり、壁の目地の一部にあらかじめ設定したデザインに沿って、目地材料の一部を蓄光材料入り目地材料２５に置き換えた部分が、誘導矢印形に発光する状態である。
【００５２】
多数のタイル２１・・・を貼り付けて壁３１を構成し、この壁３１を構成するタイル２１・・・の目地２３を埋める目地材料２６の一部を蓄光材料入り目地材料２５に置き換えることにより、本発明の避難誘導標示１０Ｂを形成することができる。その他、図１と変わることはなく説明を省略する。
【００５３】
なお、本発明の避難誘導標示を、壁と床に併用することは差し支えない。壁と床に併用することにより、人や物により視覚が妨げられ難くすることができる。
加えて、本発明の避難誘導標示によれば、立体形状のものを取付けるわけでなく、既設の目地を利用できるため、視覚健常者のみならず視覚障害者の通行の妨げにならない。
【００５４】
尚、本発明は、実施の形態では床、又は壁の避難誘導標示に適用したが、天井やドアににも適用可能であり、避難誘導目的以外で建築物内のエントランスや非常階段に適用することは差し支えない。
【００５５】
また、避難誘導標示を絵や絵文字にすることで、避難誘導以外の目的、例えば夜間広告、道路標識に応用することもできる。
【産業上の利用可能性】
【００５６】
本発明は、タイル又はコンクリート目地を備える構造物の床、壁又は天井に表示し、暗闇で発光する避難誘導標示に好適である。
【図面の簡単な説明】
【００５７】
【図１】本発明に係る避難誘導標示の床への適用例を示す図である。
【図２】避難誘導標示を既設建物に適用する説明図である。
【図３】避難誘導標示の既設建物への適用例を示す図である。
【図４】図１の別実施例図である。
【図５】従来の技術の基本構成を説明する図である。
【図６】図５の蓄光性蛍光体埋設タイルの使用例を示す図である。
【符号の説明】
【００５８】
１０、１０Ｂ…避難誘導標示、１１…コンクリートブロック、１２…床、１３…コンクリート目地、１５…蓄光材料入り目地材料、１６…コンクリート目地材料、１８…除去部分、２１…タイル、２３…タイル目地、２５…蓄光目地材料、２６…タイル目地材料、３１…壁。
【図１】
2006132241.tif 000004
【図２】
2006132241.tif 000005
【図３】
2006132241.tif 000006
【図４】
2006132241.tif 000007
【図５】
2006132241.tif 000008
【図６】
2006132241.tif 000009